(57)【要約】【課題】軽量で、耐久性にも優れ、作業も容易な獣害防止柵用支柱を提供すること。【解決手段】熱可塑性樹脂からなる内層１０１と繊維強化熱硬化性樹脂からなる中間層１０２と熱可塑性樹脂からなる被覆層１０３からなる相互に密着接合した３層構造を備える円柱状の中空パイプ１と、前記中空パイプ１の上方開口部に水密に接着される栓２と、前記中空パイプの下方開口部に水密に接着される尖塔部３と、を備えた獣害防止柵用支柱を提供する。【選択図】　図１
2004121119.tif 000002
【特許請求の範囲】
【請求項１】
獣害防止柵の支柱として用いられる合成樹脂製の部材であって、
熱可塑性樹脂からなる内層と繊維強化熱硬化性樹脂からなる中間層と熱可塑性樹脂からなる被覆層からなる相互に密着接合した３層構造を備える円柱状の中空パイプと、
前記中空パイプの上方開口部に水密に接着される栓と、
前記中空パイプの下方開口部に水密に接着される尖塔部と、を備えた獣害防止柵用支柱。
【請求項２】
前記中空パイプの外周には、長手方向に所定間隔で配列された突起部が、周方向所定間隔で複数列設けられたことを特徴とする請求項１記載の獣害防止柵用支柱。
【請求項３】
前記突起部は、二列設けられたことを特徴とする請求項２記載の獣害防止柵用支柱。
【請求項４】
前記栓には、上方に開口する十字溝が形成されたことを特徴とする請求項１記載の獣害防止柵用支柱。
【発明の詳細な説明】
【０００１】
【発明の属する技術分野】
本発明は、山中に植林した苗木や野山近傍で栽培される野菜や果物等の作物を獣害から守るための柵を形成する際に用いられる支柱に関する。詳しくは、軽量で、耐久性があり、かつ柵形成作業が容易な合成樹脂製の獣害防止柵用支柱に関する。
【０００２】
【従来の技術】
近年、山中に植林した苗木や野山近傍で栽培される野菜や果物等の作物が、人里周辺にその行動範囲を広げてきた猪、猿、カモシカなどの動物によって食い荒らされるという被害が各地で発生して問題になっている。この問題に対処するために、現在は、植林地や田畑に動物を浸入させないように柵を設けるしかないのが実情である。
【０００３】
このため、林業家、農家は、植林地や田畑を取り囲むように、金属製のパイプ（鋼管）を地面に突き刺したり、ハンマーで打ち込んだり等して所定間隔で配列し、これにワイヤーやネット等を張り巡らす等して獣害防止用の柵（フェンス）を形成し、田畑内への獣の浸入防止を図っている。
【０００４】
【発明が解決しようとする課題】
しかしながら、獣害防止柵を形成するために従来から用いられてきた支柱は、強度面を考慮し、鋼管が採用されてきたため、その設置作業は重労働であった。即ち、鋼管は、重量があるため、山中の植林地や田畑への運搬作業や設置作業に手間と時間が係り、人手の要する重労働であるという課題があった。
【０００５】
また、鋼管は、長年の使用で風雨に曝されると腐食し、場合によっては腐食箇所から折損してしまうという問題があった。このため、鋼管の外周を合成樹脂層で被覆した構成の支柱が提案されたが、これにより腐食の進行が完全に防止できたわけではなく、また、前記合成樹脂層が鋼管表面に接着されているわけではないことから、長年の使用により前記合成樹脂層の剥離や損傷等が発生するという課題もあった。
【０００６】
そこで、本発明は、軽量で、耐久性にも優れ、作業も容易な獣害防止柵用支柱を提供することを主な目的とする。
【０００７】
【課題を解決するための手段】
上記課題を解決するために、本願では、獣害防止柵の支柱として用いられる合成樹脂製の部材であって、熱可塑性樹脂からなる「内層」と繊維強化熱硬化性樹脂からなる「中間層」と熱可塑性樹脂からなる「被覆層」からなる相互に密着接合した３層構造を備える円柱状の中空パイプと、前記中空パイプの上方開口部に水密に（中空パイプ内に水が侵入しないように）接着される栓と、前記中空パイプの下方開口部に水密に接着される尖塔部と、を備えた獣害防止柵用支柱を提供する。
【０００８】
この合成樹脂製の獣害防止柵用支柱は、金属製の支柱（鋼管）に比べて軽量であるので、運搬や設置作業がし易く、長年の使用でも腐食が発生する心配もない。また、上記３層構造を備える獣害防止柵用支柱は、充分な剛性を有することから、設置作業時や使用に際して折損等の心配がない。更には、鋼管と異なって、弾力性（可撓性）と形状復元性を備えているので、動物が柵に勢いよく突進してきた場合でも、その勢いを吸収しながら浸入を阻止できる。このため、最初の設置状態を長年にわたり維持し易いという利点を有する。
【０００９】
また、栓と尖塔部は、中空のパイプに水密に接着されているので、パイプ内に雨水が浸入するのを防ぎ、尖塔部は、支柱を地面に突き刺し易くする。栓や尖塔部の形状は、目的に合わせて自由に形状設計することができる。
【００１０】
支柱上方の栓には、上方に開口する十字溝を形成しておくことによって、支柱間にワイヤーを張設する際に、ワイヤーを溝に通して固定したり、位置決めしたり等するのに利用することができるので便利である。この十字溝では、支柱上部にワイヤーを直交するように固定させることもできる。
【００１１】
前記中空パイプの外周には、長手方向に所定間隔で配列された突起部（リブ）を、周方向所定間隔で複数列設けることによって、パイプ外周部を手で把持しながら、支柱を地面に刺し込んだり、打ち込んだりする際、手が滑らないので作業がし易い。また、この突起部を、支柱間にワイヤーを張設する際のワイヤー係止部位としても利用することもできる。突起部の形状や配置間隔は、使用の目的に合わせて自由に設計することができる。
【００１２】
また、中空パイプの外周前記突起部の何列設けるかについても適宜選択可能でであるが、二列とすれば、合成樹脂の成形加工が容易な範囲で、手の滑り防止機能を必要充分に発揮させることができるので望ましい。
【００１３】
以上のように、本願発明には、獣害防止柵に好適な支柱を提供するという技術的意義がある。
【００１４】
【発明の実施の形態】
以下、添付図面に基づいて、本発明に係る獣害防止柵用支柱の好適な実施形態について説明する。まず、図１は、同支柱の一部省略する外観斜視図、図２は、同支柱を構成する部材を示す図、図３は、図２中のＩ−Ｉ線矢視断面図である。
【００１５】
本発明に係る獣害防止柵用支柱Ｌ（以下、「支柱Ｌ」と略称する。）は、田畑への動物の浸入を防止するための獣害防止柵の支柱として用いられる合成樹脂製の部材であって、円柱状の中空パイプ１と、この中空パイプ１の上方開口部１ａ（図２参照）に水密に接着される栓２と、この中空パイプ１の下方開口部１ｂに水密に接着される下方に向けて尖った形状をなす尖塔部３と、を備えている。
【００１６】
中空パイプ１の長さは、目的に合わせて適宜決定できるので特に限定はない。中空パイプ１に対する栓２，尖塔部３の接着方法は、水密性と固定強度が確保できる方法であれば特に限定がなく、熱溶着、摩擦溶着、接着剤による接着等を種々採用できる。
【００１７】
栓２の形状についても、目的に合わせて適宜決定できるので特に限定はなく、溝を形成してもしなくても良いが、図１に示された本実施形態の如きに、上方に開口する十字溝２１を形成すれば、この十字溝２１を利用してワイヤー４等を直交等させたりして（図１参照）、自由に使用できるので便利である。
【００１８】
中空パイプ１は、単純円柱状のパイプとして形成してもよいが、パイプ長手方向Ｘに突起部１１を配列しておく構成が望ましい。この突起部１１は、支柱Ｌを手で把持しながら地面に立設する時に、手の滑りを防止するという機能に加えて、ワイヤー４を支柱Ｌ，Ｌ間に張設するときに、ワイヤー４を係止することができるという機能を発揮する。
【００１９】
突起部１１は、パイプ１の周方向所定間隔で配列すればよく、配列数に特に限定はないが、二列とすれば、合成樹脂の成形加工が容易な範囲で、手の滑り防止機能を必要充分に発揮させることができるので好適である。突起部１１の形状自体も特に限定はなく、手の滑り防止機能を発揮できる形状であればよい。
【００２０】
尖塔部３は、下方に向けて徐々に窄んで尖った形状を備えていればよく、テーパーの角度や長さは、自由に選択決定できる。この尖塔部３は、その先が尖った形状により、支柱Ｌを地面に刺し入れ易くする。なお、図２中の符号２２，３１は、パイプ１の中空部１ｃに嵌入する凸部を表している。
【００２１】
続いて、図３は、図２中に示されたＩ−Ｉ線矢視断面図であって、上記中空パイプ１の材料構成を説明するための図である。
【００２２】
まず、中空パイプ１は、相互に密着接合した内層１０１、中間層１０２、被覆層１０３からなる計３層構造を有する。内層１０１と被覆層１０３は、ともに熱可塑性樹脂、特に好適にはＡＢＳ樹脂から形成されており、中間層１０２は、繊維強化熱硬化性樹脂（ＦＲＰ）から形成されている。
【００２３】
ここで、中空パイプ１は、内層パイプの押出機により、ＡＢＳ樹脂を環状に押し出して、内層１０１を形成し、この内層１０１の外周にガラス繊維ロービングにスチレンを架橋成分として含む不飽和ポリエステル樹脂を含浸して縦添えし、その外周を環状に成形して、未硬化状態の中間層１０２を形成し、これを被覆層用の押出機のクロスヘッドに挿通する。
【００２４】
被覆層用の押出機においては、所定形状の突起部を有するダイからＡＢＳ樹脂を環状に押し出して、中間層１０２の外周を被覆し、その被覆層１０３を冷却固化した後、加熱炉に導いて中間層１０２の不飽和ポリエステル樹脂を硬化させる。
【００２５】
前記突起部を有するダイによって被覆層１０３の外周には、突起部１１が所定間隔で形成される。以上により製造できる中空パイプ１として、例えば、外径３３ｍｍ、内径２７ｍｍ、単位重量４００ｇ／ｍ、曲げ強力６７０Ｎ、曲げ剛性５．２×１０２Ｎ・ｍ２の仕様のもの（出願人製　コンポーズパイプ　ＣＰＰ　３３φ×２７φ　イボ　２列）が得られる。なお、この中空パイプ１は、獣害防止柵用の支柱として現在市販されている金属製パイプの単位重量５５０〜６００ｇ／ｍと比較して、軽量であることが明らかである。
【００２６】
また、支柱の市販の獣害防止柵用金属性パイプ（鋼管被覆パイプ）の曲げ剛性は、１４×１０３Ｎ・ｍ２　前後と３倍程度あるが、本発明の獣害防止柵用支柱は弾力性（可撓性）と形状復元性を備えているので、少なくとも４．５×１０２Ｎ・ｍ２の曲げ剛性を備えていれば獣害防止柵用支柱として実用できる。
【００２７】
ここで、内層１０１及び被覆層１０３に用いたＡＢＳ樹脂と、中間層１０２に用いたスチレンを架橋成分とする不飽和ポリエステル樹脂とは、未硬化状態において相溶性があるので、この３層は極めて強固に接着接合し、外力に対して３層１０１，１０２、１０３が協働して優れた強力、剛性を発揮する。
【００２８】
中間層１０２に使用する補強用繊維は、ガラス繊維が一般的であるが、炭素繊維、芳香族ポリアミド繊維、ポリエステル繊維、ビニロン繊維など、ＦＲＰに用いられる慣用の他の繊維であってもよい。
【００２９】
また、中間層１０２に使用する熱硬化性樹脂は、不飽和ポリエステル樹脂、エポキシ樹脂などを採用でき、特に、スチレンを架橋成分とする不飽和ポリエステル樹脂が好適である。
【００３０】
内層１０１及び被覆層１０３び使用する熱可塑性樹脂は、中間層１０２において採用される未硬化の樹脂と相溶性を有するものであれば、中間層１０２が硬化した後において、各層１０１〜１０３が相互に接着接合して、強度の高い中空パイプ１を得ることができる。
【００３１】
なお、熱可塑性樹脂と熱硬化性樹脂の組み合わせ例を挙げると、スチレンを誘導体の成分として含むＰＳ樹脂、ＡＢＳ樹脂、ＡＥＳ樹脂、ＡＳ樹脂、ＡＡＳ樹脂などのスチロール系樹脂と、スチレンを架橋性モノマーとする不飽和ポリエステル樹脂との組み合わせがある。他の例としては、アクリル系の熱可塑性樹脂と、アクリル酸系の架橋性モノマーを含む不飽和ポリエステル樹脂との組み合わせがある。
【００３２】
栓２、尖塔部３は、高い強度が得られるＡＢＳ樹脂等の樹脂単体で、慣用の成形方法で、図示された形状に製造すればよい。
【００３３】
続いて、図４は、本発明に係る支柱Ｌの使用状態例を示す図である。
【００３４】
上記構成の支柱Ｌは、植林地又は田畑の外周を取り囲むように、地面５に刺し入れられたり、打ち込まれたり等して、所定間隔で立設される（図４参照）。
【００３５】
所定本数の支柱Ｌを立設した後、ワイヤー４等を所定本数、支柱Ｌ，Ｌ間に張設して、その後ネット（図示せず）等をワイヤー４に係止等させて張設すれば、動物が植林地又は田畑に侵入するのを有効に防止できる獣害防止柵６を形成することができる。
【００３６】
【発明の効果】
本発明に係る獣害防止柵用支柱は、軽量であるので、その運搬や設置作業が容易であり、また、腐食の心配がなく耐久性にも優れている。また、本発明に係る獣害防止柵用支柱は、充分な強度と剛性を有することから、設置作業時や使用に際して折損等の心配がない。更には、従来の鋼管製の支柱と異なって、弾力性（可撓性）と形状復元性を備えているので、動物が柵に勢いよく突進してきた場合でも、塑性変形することなくその勢いを吸収しながら浸入を阻止でき、最初の設置状態を長年にわたり維持することができる。
【００３７】
また、本発明に係る獣害防止柵用支柱は、山中の傾斜地で冬期に雪荷重が負荷されても弾力性（可撓性）を有しているので、鋼管のように塑性変形することなく追随し、雪解け後には復元して直立状となるなど、春先にさほどの復元作業を要せず、保守管理が容易である。
【図面の簡単な説明】
【図１】本発明に係る獣害防止柵用支柱（Ｌ）の好適な実施形態の一部省略する外観斜視図
【図２】同支柱（Ｌ）を構成する部材（パイプ１，栓２，尖塔部３）を示す図
【図３】図２中のＩ−Ｉ線矢視断面図
【図４】本発明に係る支柱Ｌの使用状態例を示す図
【符号の説明】
Ｌ　獣害防止柵用支柱（支柱）
１　中空パイプ
２　栓
３　尖塔部
１１　突起部
２１　十字溝
【図１】
2004121119.tif 000003
【図２】
2004121119.tif 000004
【図３】
2004121119.tif 000005
【図４】
2004121119.tif 000006